(57)【特許請求の範囲】
【請求項１】
データ記憶および取出システムであって、
作用面に配置された複数の光学ヘッドを有するヘッドキャリッジユニットを備え、前記複数の光学ヘッドの各々は、ヘッドキャリッジユニットが回転することで、前記作用面上で回転中心に関して円周方向に動くように構成され、前記複数の光学ヘッドの各々と回転中心との距離は同一であり、
光学テープ媒体に前記ヘッドキャリッジユニットの前記作用面を通過させるように構成されたテープ駆動ユニットを備え、
前記複数の光学ヘッドが前記作用面上で前記回転中心に対して円周方向に動くと、（ａ）前記複数の光学ヘッドのうちの第１の光学ヘッドが前記光学テープ媒体のデータトラックに書込むように構成され、（ｂ）前記複数の光学ヘッドのうちの第２の光学ヘッドが、前記第１の光学ヘッドによって書込まれた前記データトラックから読出すように構成され、
前記複数の光学ヘッドのうちの前記第２の光学ヘッドによって読出されたデータは、データ完全性を検証する際、および、エラー訂正を行う際、の少なくとも一方において用いられる、システム。
【請求項２】
前記複数の光学ヘッドの各々は、前記光学テープ媒体のデータトラックに書込む、および前記光学テープ媒体のデータトラックから読出す機能を含む、請求項１に記載のシステム。
【請求項３】
前記ヘッドキャリッジユニットは実質的にディスク形状であり、前記作用面は実質的に円形であり、前記複数の光学ヘッドは前記作用面上に円形に配列される、請求項１または２に記載のシステム。
【請求項４】
前記複数の光学ヘッドのうちの前記第２の光学ヘッドは、前記複数の光学ヘッドのうちの前記第１の光学ヘッドに隣接して前記作用面上に配置される、請求項３に記載のシステム。
【請求項５】
前記光学テープ媒体の幅は、前記ヘッドキャリッジユニットの前記作用面の幅とほぼ等しい、請求項１〜４のいずれか１項に記載のシステム。
【請求項６】
データ記憶および取出システムであって、
作用面に配置された複数の光学ヘッドを有するヘッドキャリッジユニットを備え、前記複数の光学ヘッドの各々は、ヘッドキャリッジユニットが回転することで、前記作用面上で回転中心に関して円周方向に動くように構成され、前記複数の光学ヘッドの各々と回転中心との距離は同一であり、
光学テープ媒体に前記ヘッドキャリッジユニットの前記作用面を通過させるように構成されたテープ駆動ユニットを備え、
前記複数の光学ヘッドが前記作用面上で前記回転中心に対して円周方向に動くと、（ａ）前記複数の光学ヘッドのうちの第１の光学ヘッドが前記光学テープ媒体のデータトラックに書込むように構成され、（ｂ）前記複数の光学ヘッドのうちの第２の光学ヘッドが、前記第１の光学ヘッドによって書込まれた前記データトラックから読出すように構成され、
前記複数の光学ヘッドのうちの前記第２の光学ヘッドによって読出されたデータは、データ完全性を検証する際、および、エラー訂正を行う際、の少なくとも一方において用いられる、システム。
【請求項７】
前記複数の光学ヘッドの各々は、前記光学テープ媒体のデータトラックに書込む、および、前記光学テープ媒体のデータトラックから読出す機能を含む、請求項６に記載のシステム。
【請求項８】
前記複数の光学ヘッドは前記作用面上に円形に配列される、請求項６または７に記載のシステム。
【請求項９】
前記複数の光学ヘッドのうちの前記第２の光学ヘッドは、前記複数の光学ヘッドのうちの前記第１の光学ヘッドに隣接して前記作用面上に配置される、請求項８に記載のシステム。
【請求項１０】
前記光学テープ媒体の幅は、前記ヘッドキャリッジユニットの前記作用面の幅とほぼ等しい、請求項６〜９のいずれか１項に記載のシステム。
【請求項１１】
前記光学テープ媒体の幅は、前記ヘッドキャリッジユニットの前記作用面の幅よりも大きい、請求項６〜９のいずれか１項に記載のシステム。
【請求項１２】
前記光学テープ媒体の幅は、前記ヘッドキャリッジユニットの前記作用面の幅よりも小さい、請求項６〜９のいずれか１項に記載のシステム。
【請求項１３】
データ記憶および取出方法であって、
ヘッドキャリッジユニットを回転中心の周りに回転させるステップを備え、前記ヘッドキャリッジユニットは作用面に配置された複数の光学ヘッドを有しており、前記複数の光学ヘッドの各々と回転中心との距離は同一であり、
光学テープ媒体に前記ヘッドキャリッジユニットの前記作用面を通過させるステップと、
前記ヘッドキャリッジユニットが回転してテープが前記作用面を通過すると、前記複数の光学ヘッドのうちの第１の光学ヘッドを用いて前記テープにデータトラックを書込むステップと、
前記ヘッドキャリッジユニットが回転して前記テープが前記作用面を通過すると、前記複数の光学ヘッドのうちの第２の光学ヘッドを用いて前記データトラックを読出すステップとを備え、前記複数の光学ヘッドのうちの前記第２の光学ヘッドによって読出されたデータは、データ完全性検証およびエラー訂正の際に用いられ、
書込むステップおよび／または読出すステップは、前記第１の光学ヘッドおよび／または前記第２の光学ヘッドを前記回転中心に対して円周方向に動かすステップを含む、方法。
【請求項１４】
前記複数の光学ヘッドの各々は、前記光学テープ媒体にデータトラックを書込むように、かつ前記光学テープ媒体からデータトラックを読出すように構成される、請求項１３に記載の方法。
【請求項１５】
前記ヘッドキャリッジユニットは実質的にディスク形状であり、前記作用面は実質的に円形であり、前記複数の光学ヘッドは前記作用面上に円形に配列され、前記複数の光学ヘッドのうちの前記第２の光学ヘッドは、前記複数の光学ヘッドのうちの前記第１の光学ヘッドに直接隣接して前記作用面上に配置される、請求項１３または１４に記載の方法。
【発明の詳細な説明】
【技術分野】
【０００１】
以下は、テープ媒体および回転ヘッドを利用し、かつデータ検証を提供する、データ記憶および取出のためのシステムならびに方法に関する。
【背景技術】
【０００２】
背景
磁気および光学テープ媒体は、データバックアップまたはアーカイブ作業などにおける大量のデータの長期保管のためによく用いられる。典型的なテープデータ記憶および取出方法は、テープを縦に走るトラックへのデータの記録または書込と、テープからのそのようなデータトラックの取出または読出とを含む。複数ストライプヘッドを用いて、多くの平行トラックの書込および／または読出が行われる。磁気ヘッドは９６本よりも多いトラックを有し得、磁気テープの幅に沿って軽く揺れてより多くのトラックを書込むおよび／または読出す能力を有する。レーザヘッドを用いる光学テープデータ記憶および取出システムも同様に動作する。
【０００３】
上記の複数ストライプヘッド設計は、テープ長がアーカイブ作業などにおいて容量を増やすために長くなるにつれて、テープの端に記憶されたデータにアクセスするのにかかる時間が長くなるため、非効率になる。短いテープは長いテープよりもアクセス時間が短くなるが、短いテープ長は記憶容量もより制限されるため、大量のデータを伴うアーカイブ作業が妨げられてしまう。容量を増大させる幅広テープは、ヘッドにより多くのトランスデューサを必要とする。データスループットも、テープ幅およびヘッド数の要因である。複数ストライプヘッド設計に対する制限は、読出および書込ヘッドの数、ならびにテープ全幅を含む。
【０００４】
記憶媒体にデータを書込む際には、データ完全性を検証し、記録処理時に発生した可能性のあるエラーを訂正するために、情報をリードバックすることも望ましい。典型的な光学記録装置（ＤＶＤ等）は、これら位相変化媒体が単一のレーザ要素を用いて容易にリードバックされないため、この機能を実行するように設計されていない。
【０００５】
したがって、改良されたテープ媒体データ記憶システムおよび方法が必要とされる。そのようなシステムおよび方法は、回転ヘッドキャリッジアセンブリ上の使用可能な複数のヘッド要素を用いて、データが記録される際に当該データを検証することができる回転ヘッド設計を含むであろう。付加的な専用読出ヘッドを必要とせずにデータをチェックするために、既存の書込ヘッドが読出モードで利用されるであろう。
【発明の概要】
【課題を解決するための手段】
【０００６】
概要
ここに開示される一実施形態によると、データ記憶および取出システムが提供される。システムは、作用面に配置された複数の光学ヘッドを有するヘッドキャリッジユニットを含み、ヘッドキャリッジユニットは回転運動に適合されている。システムはさらに、光学テープ媒体にヘッドキャリッジユニットの作用面を通過させるように構成されたテープ駆動ユニットを含む。
【０００７】
ヘッドキャリッジユニットが回転してテープが作用面を通過すると、複数の光学ヘッドのうちの第１のヘッドがテープにデータトラックを書込むように構成され、複数の光学ヘ
ッドのうちの第２のヘッドがその後でデータトラックを読出すように構成される。複数のヘッドのうちの第２のヘッドによって読出されたデータは、データ完全性を検証する際およびエラー訂正を行う際に用いられる。
【０００８】
ここに開示される別の実施形態によると、データ記憶および取出システムが提供される。システムは、作用面に配置された複数のヘッドを有するヘッドキャリッジユニットを含み、ヘッドキャリッジユニットは回転運動に適合されている。システムはさらに、テープ媒体にヘッドキャリッジユニットの作用面を通過させるように構成されたテープ駆動ユニットを含み、テープ媒体の幅はヘッドキャリッジユニットの作用面の幅とほぼ等しい。
【０００９】
ヘッドキャリッジユニットが回転してテープが作用面を通過すると、複数のヘッドのうちの第１のヘッドがテープにデータトラックを書込むように構成され、複数のヘッドのうちの第２のヘッドがその後でデータトラックを読出すように構成される。複数のヘッドのうちの第２のヘッドによって読出されたデータは、データ完全性を検証する際およびエラー訂正を行う際に用いられる。
【００１０】
ここに開示されるさらに別の実施形態によると、データ記憶および取出方法が提供される。方法は、作用面に配置された複数の光学ヘッドを有するヘッドキャリッジユニットを回転させるステップと、光学テープ媒体にヘッドキャリッジユニットの作用面を通過させるステップとを含む。方法はさらに、ヘッドキャリッジユニットが回転してテープが作用面を通過すると、複数の光学ヘッドのうちの第１のヘッドを用いてテープにデータトラックを書込むステップを含む。方法はさらに、ヘッドキャリッジユニットが回転してテープが作用面を通過すると、複数の光学ヘッドのうちの第２のヘッドを用いてデータトラックを読出すステップを含み、複数のヘッドのうちの第２のヘッドによって読出されたデータは、データ完全性検証およびエラー訂正の際に用いられる。
【００１１】
これらの実施形態および添付の図面の詳細な説明を以下に述べる。
【図面の簡単な説明】
【００１２】
【図１】ここに開示されるデータ記憶および取出システムの実施形態の斜視図である。
【図２】ここに開示されるデータ記憶および取出システムの実施形態の上面図である。
【図３】ここに開示されるデータ記憶および取出システムの実施形態の側面図である。
【図４】ここに開示されるデータ記憶および取出方法の実施形態を示す簡略化したフローチャートの図である。
【発明を実施するための形態】
【００１３】
詳細な説明
図１〜図４を参照して、テープ媒体および回転ヘッドを利用するデータ記憶および取出システムならびに方法を説明する。説明を簡単にして理解を容易にするため、ここでは図面全体にわたって同様の構成要素および特徴には同様の参照番号を使用している。
【００１４】
上述のように、磁気および光学テープ媒体は、データバックアップまたはアーカイブ作業などにおける大量のデータの長期保管のためによく用いられる。典型的なテープデータ記憶および取出方法は、テープを縦に走るトラックへのデータの記録または書込と、テープからのそのようなデータトラックの取出または読出とを含む。磁気テープ記憶および取出システムにおいて複数ストライプヘッドを用いて、多くの平行トラックの書込および／または読出が行われ、当該ヘッドは、テープの幅に沿って軽く揺れてより多くのトラック
を書込むおよび／または読出す能力を有する。レーザヘッドを用いる光学テープ記憶および取出システムも同様に動作する。
【００１５】
しかし、複数ストライプヘッド設計は、容量を増やすためにテープ長が長くなるにつれて、テープの端に記憶されたデータにアクセスするのにかかる時間が長くなるため、非効率になる。短いテープ長は長いテープ長よりもアクセス時間が短くなるが、データ記憶容量もより制限される。容量を増大させる幅広テープは、ヘッドにより多くのトランスデューサを必要とする。データスループットも、テープ幅およびヘッド数の要因である。複数ストライプヘッド設計に対する制限は、ヘッド数およびテープ全幅を含む。
【００１６】
書込動作の後に読出動作を実行することも望ましい機能である。記憶媒体にデータを書込む際には、データ完全性を検証し、記録処理時に発生した可能性のあるエラーを訂正するために、情報をリードバックすることが望ましい。典型的な光学記録装置（ＤＶＤ等）は、これら位相変化媒体が単一のレーザ要素を用いて容易にリードバックされないため、この機能を実行するように設計されていない。
【００１７】
ここに開示される改良されたテープ媒体データ記憶システムおよび方法は、回転ヘッドキャリッジアセンブリ上の使用可能な複数のヘッド要素を用いて、データが記録される際に当該データを検証することができる回転ヘッド設計を含む。付加的な専用読出ヘッドを必要とせずにデータをチェックするために、既存の書込ヘッドが読出モードで利用される。書込要素が読出要素としても機能するため、費用および複雑性の低減が達成され得る。さらに、デューティサイクルおよび読出／書込性能が向上し得る。
【００１８】
次に図１を参照して、ここに開示されるデータ記憶および取出システムの実施形態の斜視図が示される。システム１０は、テープ駆動ユニットおよびヘッドキャリッジユニットを含む。テープ駆動ユニットは、光学テープであり得るテープ媒体１２と、支持サーボ駆動システム１４とを含む。テープ媒体１２は供給リール１６上に供給され得、供給リール駆動モータ２０および巻取リール駆動モータ２２のサーボ作用によって巻取リール１８に送られ得る。２つのモータ２０，２２は共に作用して、テープ経路に沿ったテープ１２のスムーズな動きを提供し得る。
【００１９】
図１に見ることができるように、テープ媒体１２は幅（ｗ）とテープ１２のそれぞれの端から伸びる長さ（ｌ）とを有し、これらの端は供給および巻取リール１６，１８に取付けられている（図示せず）。テープ１２はテープ経路に沿って、矢印２４によって示される方向に進む。テープ経路は、テープ１２がヘッドアセンブリ２８を通過するように駆動される際にテープ１２の制御を提供するのに役立つ一連のガイドローラ２６を有する。テープ１２に閉ループ動作制御を提供し、ヘッドアセンブリ２８に対してテープ張力および位置を正確に制御するために、サーボ制御システム（図示せず）を用いてもよい。
【００２０】
これも図１に見られるように、ヘッドアセンブリ２８は実質的にディスク形状であり得、テープ媒体１２に近接して実質的に円形かつ実質的に平面の作用面３０を含む。ヘッドアセンブリ２８は、テープ媒体１２にデータを記録するおよび／またはテープ媒体１２からデータを読出すための複数のヘッド３２を含み得る。その点について、ヘッドアセンブリ２８は、テープ媒体１２が矢印２４によって示される方向に動くと、矢印３４によって示される方向に動作時に回転する。図１の回転ヘッドデータ記憶および取出システムを、その開示全体が引用によって本明細書に援用される米国特許番号第８，２２５，３３９号および米国特許出願番号第１３／６２２，６０７号における付加的な特徴、構成要素、動作、機能および方法と共にさらに説明する。
【００２１】
次に図２および図３を参照して、ここに開示されるデータ記憶および取出システムの実
施形態の上面図および側面図が示される。ここに見られるように、ヘッドアセンブリ２８はヘッドキャリッジユニット上に製作され得る。キャリッジユニットは、光学テープ１２に対するデータの実際の書込／読出または記録／取出を実行する複数の光学ピックアップユニット（ＯＰＵ）レーザアセンブリ３２を保持し得る。特定の数のＯＰＵ３２が図２に示されるが、任意の数のＯＰＵアセンブリ３２が用いられ得る。さらに、ＯＰＵ３２は、Ｂｌｕ−Ｒａｙ（商標）のディスクドライブに使用されるのと同様のアセンブリであり得る。
【００２２】
図２に見られるように、ＯＰＵアセンブリ３２は回転ヘッドキャリッジ２８上に半径方向に、固定半径で実質的に円形パターンに配置され得る。ＯＰＵアセンブリ３２をこのように位置決めすることによって、ヘッドアセンブリ２８が矢印３４によって示される方向に回転し、テープ１２が矢印２４によって示される方向に動くと、各ＯＰＵ３２′からの光ビームが実質的に等しい半径円弧をテープ媒体１２上に転記することが確実になり得る。
【００２３】
回転可能なヘッドアセンブリ２８はテープ媒体１２の下に装着され得る。回転可能なヘッドアセンブリ２８を支持するためにスピンドルシャフト４０が設けられ得る。ヘッドアセンブリ２８は、ヘッドアセンブリ２８に組込まれ得るヘッド駆動モータ４２によって回転駆動され得る。その点について、回転ヘッドアセンブリ２８に関連付けられる受動ロータ磁石４４が、テープ駆動ベース４６内に固定されるステータコイル（図示せず）のコミュテーションによって駆動され得る。
【００２４】
図３を参照して、ＯＰＵアセンブリ３２の機能およびデータ通信を制御するためにヘッドアセンブリ回路基板４８が設けられ得る。誘導結合５０を介してヘッド回路４８に電力が供給され得る。ＯＰＵアセンブリ３２へのおよびＯＰＵアセンブリ３２からのデータ信号は、誘導結合５０を介して送信され得る。テープ駆動ベース４６内に配置され得る回路基板５２によって、モータ制御およびさらなるデータ信号処理が行なわれ得る。
【００２５】
引続き図３を参照して、テープ媒体１２は、矢印２４によって示される方向においてヘッドアセンブリ２８上を通過する経路を進む。ヘッドアセンブリ２８はさらに、矢印３４によって示される方向に回転する。各ＯＰＵ３２からの光ビームがテープ媒体１２を通過することによって、実質的に同様の近似円弧５４の記録スポットのデータトラックがテープ媒体１２に転記され得る。テープ媒体１２がヘッド３２を通過することによって、真の円弧から記録されたデータトラックが、回転ヘッド３２の速度および動いているテープ１２の速度に比例して細長い円弧５４にスキューされるため、円弧５４は半径のみが近似している。
【００２６】
ＯＰＵアセンブリ３８からの回転レーザスポットが、テープ媒体１２および回転ヘッドアセンブリ２８の速度の関数としての間隔を互いに空けてデータトラック５４を個別に書込むようにテープ媒体１２の速度を制御するために、サーボ制御方法およびシステム（図示せず）を提供してもよい。その点について、テープ媒体１２とヘッドアセンブリ２８との相対速度は大きくてもよく、ヘッドアセンブリ２８の速度はＢｌｕ−ＲａｙのＤＶＤの記録速度をエミュレートし、テープ媒体１２の速度は非常に低くてもよい。この結果、テープ媒体１２および記録ヘッド３２の両方を動かすことによって、回転ヘッドアセンブリ２８を有するここに開示されるデータ記憶システムおよび方法は、非常に高いデータレートおよび非常に大きい記憶容量を提供し得る。
【００２７】
上述のように、ヘッドキャリッジアセンブリ２８は実質的にディスク形状であり得、テープ媒体１２に近接して実質的に円形かつ実質的に平面の作用面３０を含み得る。しかし、ヘッドアセンブリ２８および作用面３０は異なる形状および／または構成を有し得るこ
とに留意すべきである。さらに、ＯＰＵアセンブリ３２は、テープ媒体１２およびヘッドキャリッジアセンブリ２８に対するＯＰＵ３２の動きを制御するためのサーボサブシステムを含み得、当該動きはヘッドキャリッジアセンブリ２８の作用面３０上のＯＰＵ３２の半径方向の動きを含む。
【００２８】
ここに開示されるシステム１０および方法によると、各ＯＰＵ３２はデータ完全性を検証するためにリード・アフター・ライトモードで用いられ得る。すなわち、各ＯＰＵ３２は、テープ媒体１２にデータを書込むように、かつテープ媒体１２からデータを読出すように動作し得る。このように、複数のレーザＯＰＵ３２を有する回転ヘッドアセンブリ２８は連続したアクティブＯＰＵ３２を利用して、テープ媒体１２にデータトラックが書込まれた直後に当該データトラックを読出す。
【００２９】
次に図１〜図３を参照して、上述のように、回転運動に適合されたヘッドキャリッジユニット２８は、作用面３０に配置された複数のヘッド３２を含み得る。テープ駆動ユニットは、テープ媒体１２にヘッドキャリッジユニット２８の作用面３０を通過させるように構成され得、テープ媒体１２の幅（ｗ）はヘッドキャリッジユニット２８の作用面３０の幅とほぼ等しくてもよい。ヘッドキャリッジユニット２８が回転してテープ１２が作用面３０を通過すると、第１のヘッド３２はテープ１２にデータトラック５４を書込むように適合、構成および／または位置決めされ得、第２のヘッド３２はその後でデータトラック５４を読出すように適合、構成および／または位置決めされ得る。第２のヘッド３２によって読出されたデータは、データ完全性を検証する際およびエラー訂正を行う際に用いられる。
【００３０】
上述のように、複数のヘッド３２の各々は光学ヘッドであり得、テープ媒体は光学テープであり得る。ヘッド３２は、テープ媒体１２にデータトラック５４を書込むように、かつテープ媒体１２からデータトラック５４を読出すように適合、構成および／または位置決めされ得る。ヘッドキャリッジユニット２８は実質的にディスク形状であり得、作用面３０は実質的に円形であり得、複数のヘッド３２は作用面３０上に円形に配列され得る。データトラック５４が書込まれた後にデータトラック５４を読出すように適合、構成および／または位置決めされる第２のヘッド３２は、データトラック５４を書込むように適合、構成および／または位置決めされる第１のヘッド３２に直接隣接して作用面３０上に配置され得る。
【００３１】
しかし、データトラック５４が書込まれた後にデータトラック５４を読出すように適合、構成および／または位置決めされる第２のヘッド３２は、第１のヘッド３２に直接隣接して作用面上に配置されなくてもよいことに留意すべきである。その点について、データトラック５４を読出すように適合、構成および／または位置決めされる第２のヘッド３２は、ヘッドアセンブリ２８が回転するとデータトラック５４を書込むように適合、構成および／または位置決めされる第１のヘッド３２に続く任意の他のヘッド３２であり得る。すなわち、データトラック５４を書込むように適合、構成および／または位置決めされるヘッド３２の後の第３の、第４のまたは任意の他のヘッド３２を利用して、データ完全性を検証する際およびエラー訂正を行う際に用いられるデータトラック５４がその後で読出され得る。さらに、複数のヘッド３２を利用して、第１のヘッド３２によってデータトラック５４が書込まれた後に、冗長的にデータトラック５４を読出してもよい。
【００３２】
これも上述のように、複数のヘッド３２の各々は、サーボサブシステムなどによって、作用面３０上でのヘッドキャリッジユニット２８に対する半径方向の動きに適合または構成され得る。代替的に、作用面３０上の複数のヘッド３２はヘッド３２の第１および第２の同心円を含み得、第１の円の直径は第２の円の直径よりも小さい。データトラック５４を書込むように適合、構成および／または位置決めされる複数のヘッド３２のうちの第１
のヘッドはヘッド３２の第１の円に配置され得、データトラック５４が書込まれた後にデータトラック５４を読出すように適合、構成および／または位置決めされる複数のヘッド３２のうちの第２のヘッドはヘッド３２の第２の円に配置され得る。テープ媒体１２の幅（ｗ）は複数のヘッド３２の円の直径よりも小さくてもよく、または代替的に、幅（ｗ）は複数のヘッド３２の円の直径よりも大きくてもよい。
【００３３】
次に図４を参照して、ここに開示されるデータ記憶および取出方法６０の実施形態の簡略化したフローチャートが示される。ここに見られるように、方法６０は、作用面に配置された複数の光学ヘッドを有するヘッドキャリッジユニットを回転させるステップ６２と、光学テープ媒体にヘッドキャリッジユニットの作用面を通過させるステップ６４とを含み得る。
【００３４】
方法６０は、ヘッドキャリッジユニットが回転してテープが作用面を通過すると、複数の光学ヘッドのうちの第１のヘッドを用いてテープにデータトラックを書込むステップ６６と、ヘッドキャリッジユニットが回転してテープが作用面を通過すると、複数の光学ヘッドのうちの第２のヘッドを用いてデータトラックを読出すステップ６８とをさらに含み得る。複数のヘッドのうちの第２のヘッドによって読出されたデータは、データ完全性検証およびエラー訂正の際に用いられる。
【００３５】
ここで再び、図１〜図３に関して上で述べたように、ここに開示されるデータ記憶方法の実施形態によると、複数のヘッドの各々は、テープ媒体１２にデータトラック５４を書込むように、かつテープ媒体１２からデータトラック５４を読出すように適合、構成および／または位置決めされ得る。ヘッドキャリッジユニット２８は実質的にディスク形状であり得、作用面３０は実質的に円形であり得、複数のヘッド３２は作用面３０上に円形に配列され得る。データトラック５４が書込まれた後にデータトラック５４を読出すように適合、構成および／または位置決めされる第２のヘッド３２は、データトラック５４を書込むように適合、構成および／または位置決めされる第１のヘッド３２に直接隣接して作用面３０上に配置され得る。
【００３６】
これも図１〜図３に関して上で述べたように、ここに開示されるデータ記憶方法によると、複数のヘッドの各々は、サーボサブシステムなどによって、作用面上でのヘッドキャリッジユニットに対する半径方向の動きに適合または構成され得る。代替的に、作用面３０上の複数のヘッド３２はヘッド３２の第１および第２の同心円を含み得、第１の円の直径は第２の円の直径よりも小さい。データトラック５４を書込むように適合、構成および／または位置決めされる複数のヘッド３２のうちの第１のヘッドはヘッド３２の第１の円に配置され得、データトラック５４が書込まれた後にデータトラック５４を読出すように適合、構成および／または位置決めされる複数のヘッド３２のうちの第２のヘッドはヘッド３２の第２の円に配置され得る。テープ媒体の幅（ｗ）は複数の光学ヘッド３２の円の直径よりも小さくても大きくてもよい。
【００３７】
上記の説明から明らかであるように、回転ヘッド設計を有する改良されたテープ媒体データ記憶および取出システムならびに方法が提供される。回転ヘッドキャリッジアセンブリ上の使用可能な複数のヘッド要素を用いて、データが記録される際に当該データが検証され得る。付加的な専用読出ヘッドを必要とせずにデータをチェックするために、既存の書込ヘッドが読出モードで利用されるであろう。書込要素が読出要素としても機能するため、費用および複雑性の低減が達成され得、デューティサイクルおよび読出／書込性能が向上し得る。
【００３８】
テープ媒体および回転ヘッドを利用するデータ記憶および取出システムならびに方法の一定の実施形態をここに図示および説明したが、それらは例示的なものに過ぎず、これら
の実施形態がすべての可能な実施形態を図示および説明していることを意図していない。むしろ、ここに使用される用語は限定ではなく説明の用語であり、以下の特許請求の範囲の思想および範囲から逸脱することなくさまざまな変更がなされ得ることが理解される。
【図１】
0006534413.tif 000002
【図２】
0006534413.tif 000003
【図３】
0006534413.tif 000004
【図４】
0006534413.tif 000005